(57)【要約】      （修正有）【課題】人手を介することなく自動的かつ安定的に、使用できると共に、簡単容易に実現される、火災煙警報器による試験ボタン付き漏電遮断器を提供する。【解決手段】火災煙警報機による試験ボタン付き漏電遮断器は、火災煙警報器１の音声出力の片側のＡの信号を、エミッタ接地形トランジスタ２のベ−スに入力することにより、コレクタ、エミッタ間が通電し、電磁リレ−のａ接点４が閉じて、試験ボタン付き単相漏電遮断器７、試験ボタン付き三相漏電遮断器が動作して火災が拡大しないようにする。【選択図】図１
0003178681.tif 000002
【実用新案登録請求の範囲】
【請求項１】
火災煙警報器１の音声出力側Ａがエミッタ接地形トランジスタ２のベ−スに接続され
、火災煙警報器１の電池電源のマイナス側Ｂがエミッタ接地形トランジスタ２のエミッタに接続され、電磁リレ−のコイル３がエミッタ接地形トランジスタ２のコレクタと直流電源のプラスに接続され、エミッタ接地形トランジスタ２のエミッタが直流電源のマイナスに接続され、電磁リレ−の開閉器のａ接点４が試験ボタン付き単相漏電遮断器７の試験ボタン接点端子８および試験ボタン付き三相漏電遮断器９の試験ボタン接点端子１０に接続されている火災煙警報器による試験ボタン付き漏電遮断器。          
【考案の詳細な説明】
【技術分野】
【０００１】
本考案は、火災煙警報器により動作する試験ボタン付き漏電遮断器に関するものである。
【背景技術】
【０００２】
一般電器製品、産業用機器、変電所内機器に、漏電遮断器を設置されていながら、漏電遮断器が動作せず、火災になる事故が多く発生している。
【先行技術文献】
【特許文献】
【０００３】
【特許文献１】実用新案登録第３１７４９６３号公報
【考案の概要】
【考案が解決しようとする課題】
【０００４】
漏電遮断器は、微小電流（ｍＡ単位）で動作するが、設定した微小電流以下で火災になる、という問題が指摘されていた。
【０００５】
このような実情に鑑み上記の問題を解決すべく結果なされたものであって、自動的かつ安定的に動作できると共に、これが簡単容易に実現される火災煙警報器による試験ボタン付き漏電遮断器の動作を提案することを目的とする。
【課題を解決するための手段】
【０００６】
このような課題を解決する本考案は、火災煙警報器１の音声出力側Ａが、エミッタ接地形トランジスタ２のベ−スに接続され、火災煙警報器１の電池電源のマイナス側Ｂが、エミッタ接地形トランジスタ２のエミッタに接続され、電磁リレ−のコイル３が、エミッタ接地形トランジスタ２のコレクタと直流電源のプラスに接続され、エミッタ接地形トランジスタ２のエミッタが直流電源のマイナスに接続され、電磁リレ−の開閉器のａ接点４が、試験ボタン付き単相漏電遮断器７の試験ボタン接点端子８および試験ボタン付き三相漏電遮断器９の試験ボタン接点端子１０に接続されている火災煙警報器による試験ボタン付き漏電遮断器である。
【考案の効果】
【０００７】
本考案に係わる火災煙警報器による試験ボタン付き漏電遮断器の動作は、火災煙警報器信号を、電気制御回路部に入力させ、試験ボタン付き単相漏電遮断器および試験ボタン付き三相漏電遮断器を動作させ、次の効果を発揮する。
【０００８】
第１に、自動的かつ安定的に、試験ボタン付き漏電遮断機を動作できる。すなわち、火災煙警報器による試験ボタン付き漏電遮断器の動作は、人手を介することなく自動的に、火災の時の煙を感知して、試験ボタン付き漏電遮断器を動作できるようになる。そこで、一般電器製品、産業用機器、変電所内機器として広く使用可能である。
【０００９】
もって、この火災煙警報器による試験ボタン付き漏電遮断器の動作回路を使用すると、一般電器製品、産業用機器、変電所内機器が、漏電等により煙が発生した時に、火災が広がらないように、事前に電源回路を遮断できるようになる。
【００１０】
第２に、しかもこれは簡易容易に実現される。すなわち、この火災煙警報器による試験ボタン付き漏電遮断器の動作は、火災煙警報器、電気制御回路部、試験ボタン付き単相漏電遮断器、試験ボタン付き三相漏電遮断器等の簡単な構成よりなる。もって、コスト面に優れると共に安定性に優れている。このように、この種従来例に存した課題がすべて解決される等、本考案の発揮は、顕著にして大なるものがある。
【図面の簡単な説明】
【００１１】
【図１】本考案の試験ボタン付き単相漏電遮断器用全体図である。
【図２】本考案の試験ボタン付き三相漏電遮断器用全体図である。
【考案を実施するための形態】
【００１２】
図１、図２を参照しつつ、この火災煙警報機による試験ボタン付き漏電遮断器の動作について説明する。この火災煙警報機による試験ボタン付き漏電遮断器は、火災煙警報機１によって試験ボタン付き単相漏電遮断器７、試験ボタン付き三相漏電遮断器９を遮断して、一般電気製品、産業用機器、変電所内機器を火災により防御するためである。そして、火災煙警報機１、電気制御回路部６、試験ボタン付き単相漏電遮断器７、試験ボタン付き三相漏電遮断器９等を有している。
【００１３】
これらについて詳述すると、図１、図２、に示したように、まず火災煙警報機１からの出力線Ａ、Ｂの、Ａは火災煙警報機１の音声出力の片側、Ｂは火災煙警報機１の電池電源のマイナス側である。電気制御回路部６は、エミッタ接地形トランジスタ２、電磁リレ−のコイル３、電磁リレ−のａ接点４、電磁リレ−のコイル３用の３Ｖの直流電源５が形成されている。
【００１４】
電気制御回路部６について、図１、図２を参照しつつ説明する。火災煙警報器１の音声出力の片側Ａに、エミッタ接地形トランジスタ２のベ−スに、火災煙警報機１の電池電源のマイナス側のＢに、エミッタに、電磁リレ−のコイル３に、コレクタにそれぞれ接続し、電磁リレ−のａ接点４には、試験ボタン付き単相漏電遮断器７の試験ボタン接点端子８および試験ボタン付き三相漏電遮断器９の試験ボタン接点端子１０とを接続した構成となっている。
【００１５】
全体の配置は、絶縁性のあるプラスチックの基盤に、ネジで固定し、電気制御回路部６は、ＩＣ基盤で、はんだ付けした構成となっている。
【実施例１】
【００１６】
図１、図２で火災が無く煙が発生していない時には、エミッタ形接地トランジスタ２のベ−スに、入力電気信号が無いので、単相コンセント１１には１００Ｖ、三相コンセント１２には２２０Ｖが生じる。
【実施例２】
【００１７】
図１、図２で火災が有り、煙が発生している時には、エミッタ形接地トランジスタ２のベ−スに、入力電気信号が入るので、電磁リレ−のコイル３が動作し、電磁リレ−のａ接点４が閉じ、試験ボタン付き単相漏電遮断器７の接点端子８および試験ボタン付き三相漏電遮断器９の接点端子１０を結合させて、試験ボタン付き単相漏電遮断器７、試験ボタン付き三相漏電遮断器９が動作して単相コンセント１１には１００Ｖ、三相コンセント１２には２２０Ｖは生じない。
【符号の説明】
【００１８】
１  火災煙警報機
２  エミッタ接地形トランジスタ
３  電磁リレ−のコイル
４  電磁リレ−のａ接点
５  電磁リレ−コイル用３Ｖは火災煙警報器の電源
６  電気制御回路部
７  試験ボタン付き単相漏電遮断器
８  試験ボタン付き単相漏電遮断器の接点端子
９  試験ボタン付き三相漏電遮断器
１０  試験ボタン付き三相漏電遮断器の接点端子
１１  単相コンセント
１２  三相コンセント
【図１】
0003178681.tif 000003
【図２】
0003178681.tif 000004